(57)【要約】【課題】レンズを保持溝内に没入させて安定して保持するとともに、レンズの取出しも容易で、さらには、レンズによってレンズトレイが削られることを可及的に防止したレンズトレイと、該レンズトレイに収容するのに適した長尺レンズを提供することにある。【解決手段】レンズトレイは、長尺レンズ５の両端部５ａを保持溝３に収容して保持するレンズトレイ１であって、底面２ａに、レンズの一端を押下することによって、他端を浮上させる支点用凸部４を設けており、長尺レンズ５は、両端にレンズトレイ１の保持溝３に挿嵌させるフランジ５ａ，５ｄを備えている。【選択図】図３
2008260579.tif 000002
【特許請求の範囲】
【請求項１】
長尺レンズを収納するためのレンズトレイであって、
前記長尺レンズを収納する収納部の底部に、前記長尺レンズの一端を押下することによって、他端を浮上させる支点用凸部を設けたことを特徴とするレンズトレイ。
【請求項２】
前記支点用凸部は、前記長尺レンズの下面との当接部が前記長尺レンズの下面における周縁よりも内部になるように配置されていることを特徴とする請求項１に記載のレンズトレイ。
【請求項３】
前記支点用凸部の当接部は、エッジのない平滑な面で形成されていることを特徴とする請求項１及び請求項２のいずれか一項に記載のレンズトレイ。
【請求項４】
前記支点用凸部の当接部は、凸の曲面で形成されていることを特徴とする請求項１及び請求項２のいずれか一項に記載のレンズトレイ。
【請求項５】
前記支点用凸部は、上部に平坦面を有することを特徴とする請求項１及び請求項２のいずれか一項に記載のレンズトレイ。
【請求項６】
前記支点用凸部は、略半球形状に形成されていることを特徴とする請求項５に記載のレンズトレイ。
【請求項７】
前記支点用凸部は、前記長尺レンズの厚み方向に延びる略蒲鉾状に形成されていることを特徴とする請求項５に記載のレンズトレイ。
【請求項８】
前記支点用凸部は、台状に形成され、かつ、上面と端面との会合部が湾曲して形成されていることを特徴とする請求項５に記載のレンズトレイ。
【請求項９】
前記収納部は、前記長尺レンズの両端をそれぞれ保持する一対の保持溝を有することを特徴とする請求項１から請求項８のいずれか一項に記載のレンズトレイ。
【請求項１０】
前記保持溝は、前記長尺レンズの両端を高さ方向に関して略全部収納する深さを有することを特徴とする請求項９に記載のレンズトレイ。
【請求項１１】
前記支点用凸部は、前記長尺レンズの両端より内側に対向する位置であって前記長尺レンズの長さ方向に二つ配置され、当該二つの支点用凸部を結ぶ線からオフセットさせた位置に前記長尺レンズを支持する補助凸部を設けたことを特徴とする請求項１から請求項１０のいずれか一項に記載のレンズトレイ。
【請求項１２】
前記支点用凸部は、レンズトレイ本体と一体成形により形成され前記レンズトレイ本体の底面から突起することを特徴とする請求項１から請求項１１のいずれか一項に記載のレンズトレイ。
【請求項１３】
プラスチックによって形成されていることを特徴とする請求項１から請求項１２のいずれか一項に記載のレンズトレイ。
【請求項１４】
前記長尺レンズは、走査光学系レンズであることを特徴とする請求項１から請求項１３のいずれか一項に記載のレンズトレイ。
【請求項１５】
前記長尺レンズは、プラスチックによって形成されていることを特徴とする請求項１から請求項１４のいずれか一項に記載のレンズトレイ。
【発明の詳細な説明】
【技術分野】
【０００１】
本発明は、シリンドリカルレンズ等の長尺レンズを収納するためのレンズトレイに関する。
【背景技術】
【０００２】
レンズトレイとして、光学素子のレンズを収容する凹部を有し、該凹部を画成する相対向する側壁に溝を形成し、その溝にレンズの両端部を挿嵌させて、レンズを立てた状態で収容するものがある（例えば、特許文献１）。
【特許文献１】特開２００６−１８２３６３号公報（図１参照）
【発明の開示】
【発明が解決しようとする課題】
【０００３】
ところで、特許文献１のようなレンズの両端部を溝に挿嵌させてレンズを立てた状態に収容するレンズトレイでは、レンズを溝内へ完全に没入させると、レンズを取出すことが困難になることから、レンズの一部を溝から出した状態で収容させているが、特に長尺レンズの場合、溝が浅くなりやすく、多数のレンズを収納してレンズトレイごと移動させようとすると、長尺レンズが溝から離脱する虞がある。
【０００４】
また、特許文献１のようなレンズの両端を溝に挿嵌させてレンズを立てた状態に収納するプラスチック製のレンズトレイでは、レンズを角張った溝によって支持するので、蓋体に特殊な凸部を設けるなどしなければ、移動に際してレンズがレンズトレイの溝と摺れ、レンズのエッジによってレンズトレイが削られ、切削粉を発生する虞がある。切削粉が発生すると、その切削粉は、レンズ面に付着して、光学特性を低下させてしまう。
【０００５】
そこで、本発明の目的は、レンズを安定して保持するとともに、手作業でのレンズの取出しも容易にしたレンズトレイを提供することにある。
【０００６】
また、本発明の他の目的は、レンズとレンズトレイとの接触によって少なくとも一方が削られることを可及的に防止したレンズトレイを提供することにある。
【課題を解決するための手段】
【０００７】
上記課題を解決するため、本発明のレンズトレイは、長尺レンズを収納するためのレンズトレイであって、長尺レンズを収納する収納部の底部に、長尺レンズの一端を押下することによって、他端を浮上させる支点用凸部を設けたことを特徴とする。
【０００８】
上記レンズトレイでは、長尺レンズの一端を押下すれば、支点用凸部を支点として長尺レンズが傾斜し、長尺レンズの他端が収納部に対して相対的に飛び出した状態となるため、長尺レンズを容易に取出すことができる。換言すれば、長尺レンズを収納部（例えば溝）内に没入させて収容させることができ、長尺レンズを収納部から離脱することなく安定してレンズトレイに収容することができる。この際、支点用凸部が複数あれば、複数の支点用凸部によって、長尺レンズの端部を収納部の底部から浮かせた状態でレンズトレイに支持させることができる。
【０００９】
本発明の具体的な態様によれば、上記レンズトレイにおいて、支点用凸部が、長尺レンズの下面との当接部が長尺レンズの下面における周縁よりも内部になるように配置されていることを特徴とする。すなわち、支点用凸部は、支点用凸部の長尺レンズの下面との接触部が長尺レンズの底面エッジを避けた位置に設置されている。この場合、長尺レンズの底面エッジが支点用凸部に当接することがないので、支点用凸部が削られる虞はなく、その切削粉によって長尺レンズの光学特性を損なう虞はない。
【００１０】
本発明の別の態様によれば、支点用凸部の当接部は、エッジのない平滑な面で形成されている。これにより、支点用凸部が削れたり長尺レンズが削されることがなく、切削粉によって長尺レンズの光学特性を損なうこと防止できる。ここで、エッジとは、曲率半径が０．５ｍｍ以下の角となっているものを言う。また、支点用凸部の当接部とは、長尺レンズをレンズトレイに収納した際及びレンズトレイから長尺レンズを取り出す際に、支点用凸部が長尺レンズに接触する部分を言う。
【００１１】
本発明の別の態様によれば、支点用凸部の当接部は、凸の曲面で形成されている。これにより、支点用凸部が削れたり長尺レンズが削られることを更に防止でき、切削粉によって長尺レンズの光学特性を損なうことをより防止できる。
【００１２】
本発明の別の態様によれば、支点用凸部が、上部に平坦面を有することを特徴とする。ここで、平坦面とは、平面に限らず、エッジのない平滑な曲面を含む。これにより、支点用凸部の頂部と長尺レンズとが接して少なくとも一方が削られ、切削粉が生じることを防止できる。
【００１３】
本発明のさらに別の態様によれば、支点用凸部が、略半球形状に形成されていることを特徴とする。この場合、支点用凸部の頂部にエッジがないので、レンズが傾動された際にも、支点用凸部によって長尺レンズが削られたり、支点用凸部が削られたりすることによって発生する切削粉が長尺レンズに付着することを防止できる。ここで半球形状とは、完全な半球形状だけでなく、凸の曲面であるものを含む。
【００１４】
本発明のさらに別の態様によれば、支点用凸部が、長尺レンズの厚み方向に延びる略蒲鉾状に形成されていることを特徴とする。この場合、支点用凸部の長尺レンズとの接触部が長尺レンズの厚み方向へ延設されているので、長尺レンズの厚み方向への傾きが防止されて安定した姿勢でレンズトレイに支持され、また、長尺レンズが支点用凸部の略蒲鉾状面によって支持されているので、長尺レンズをレンズトレイから取出す際に、支点用凸部の長尺レンズを傾動させても、支点用凸部によって長尺レンズが削られたり、支点用凸部が削られたりすることによって発生する切削粉が長尺レンズに付着することを防止できる。
【００１５】
本発明のさらに別の態様によれば、支点用凸部が、台状に形成され、かつ、上面と端面との会合部が湾曲して形成されていることを特徴とする。この場合、長尺レンズの底面が台状の支点用凸部の平坦な上面によって支持されるので、長尺レンズが安定した姿勢でレンズトレイに支持される。また、支点用凸部の上面とその端面との会合部にエッジが形成されていないので、長尺レンズをレンズトレイから取出す際に、支点用凸部で長尺レンズを傾動させても、支点用凸部によってレンズが削られることを防止できる。
【００１６】
本発明のさらに別の態様によれば、収納部が、長尺レンズの両端をそれぞれ保持する一対の保持溝を有することを特徴とする。この場合、長尺レンズがレンズトレイ中で移動することを簡易に防止できる。
【００１７】
本発明のさらに別の態様によれば、保持溝が、長尺レンズの両端を高さ方向に関して略全部収納する深さを有する。
【００１８】
本発明のさらに別の態様によれば、支点用凸部が、長尺レンズの両端より内側に対向する位置であって長尺レンズの長さ方向に二つ配置され、当該二つの支点用凸部を結ぶ線からオフセットさせた位置に長尺レンズを支持する補助凸部を設けたことを特徴とする。この場合、長尺レンズが３点支持されるので、長尺レンズが安定した姿勢でレンズトレイに保持される。
【００１９】
本発明のさらに別の態様によれば、支点用凸部が、レンズトレイ本体と一体成形により形成されレンズトレイ本体の底面から突起することを特徴とする。この場合、支点用凸部を簡易に形成することができ、長尺レンズを収納部内で所望の高さに収容させることができる。
【００２０】
本発明のさらに別の態様によれば、プラスチックによって形成されていることを特徴とする。この場合、レンズトレイの成形が容易になり、それによってレンズトレイが安価に得られ、また、レンズを傷つけることを低減できる。
【００２１】
本発明のさらに別の態様によれば、長尺レンズが、走査光学系レンズであることを特徴とする。
【００２２】
本発明のさらに別の態様によれば、長尺レンズが、プラスチックによって形成されていることを特徴とする。
【発明を実施するための最良の形態】
【００２３】
以下、本発明に係るレンズトレイの一実施形態について、図面を参照しながら説明する。
【００２４】
図１は、本発明に係るレンズトレイの一実施形態を概念的に示した斜視図であり、図２は、要部を拡大して示した斜視図であり、図３は、レンズトレイにレンズを収容した状態を示した断面図であり、図４は、レンズトレイにレンズを収容した状態を示した平面図である。
【００２５】
図１に示す実施形態のレンズトレイ１は、４条の凹部２を有し、それらの凹部２を画成するそれぞれの側壁１ａの相対向する部位には、凹部２の縦方向すなわち深さ方向に延び、凹部２及び側壁１ａの上面に開口する保持溝３が、それぞれ１０本ずつ形成されている。ここで、対向する一対の保持溝３と、凹部２のうち対向する一対の保持溝３を結ぶ帯状部分すなわち底部とは、１つの収納部ＵＮを構成し、レンズトレイ１内において、複数の収納部ＵＮがマトリクス状に配列されている。なお、レンズトレイ１を構成する収納部ＵＮの配置や個数は、図示の例に限るものではなく、用途等に応じて適宜変更することができる。保護溝３は、長尺レンズを収納した際に倒れない程度に長尺レンズを支えることができる溝であればよい。
【００２６】
図２に示すように、各収納部ＵＮにおいて、側壁１ａに設けた保持溝３の底面３ａは、凹部２の底面２ａと面一に形成されている。また、底面２ａのうち相対向する保持溝３を結ぶ帯状部分すなわち底部の表面には、２つの略半球形の支点用凸部４がそれぞれ形成されている。ここで、相対向する一対の保持溝３は、後述する長尺レンズ５の両端を保持するための部分となっている。
【００２７】
以上のレンズトレイ１は、側壁１ａ、保持溝３、支点用凸部４等を含めた各部をプラスチック材料で一体的に形成したものである。すなわち、レンズトレイ１は、プラスチックに型成形、例えば真空成形によって一括して形成された一体部品である。このようなレンズトレイ１は、搬送や梱包に際して多数段に積層することができる。
【００２８】
このレンズトレイ１を構成する各収納部ＵＮには、図３および図４に示すように、長尺レンズ５の両端部５ａが相対向する保持溝３にそれぞれ挿嵌され、長尺レンズ５の両端部５ａが保持溝３の底面３ａから浮いた状態で支点用凸部４上に載置されて収容される。
【００２９】
各収納部ＵＮに収容された長尺レンズ５は、保持溝３内に没入した状態で各収納に収容される。そして、各長尺レンズ５をレンズトレイ１の各収納部ＵＮから取出す場合には、長尺レンズ５の一端部５ａを押下する（矢印Ｆ参照）。すると、長尺レンズ５は、支点用凸部４を支点として傾動される。つまり、長尺レンズ５が、時計回りに回転するように傾いて、長尺レンズ５の他端５ａが、図３に示すように、保持溝３から浮上される。結果的に、長尺レンズ５の他端５ａは、収納部ＵＮ上端から飛び出した状態となる。したがって、作業者は、長尺レンズ５の他端５ａを掴んで、その長尺レンズ５をレンズトレイ１から容易に取出すことができる。長尺レンズ５を押し下げたときの他端の浮き上がりとしては、保持溝３の上面より２ｍｍ程度突出することが好ましい。この際、支点用凸部４の頂部がエッジのない平滑な曲面になっているので、支点用凸部４が長尺レンズ５と接して削られることを防止できる。さらに、支点用凸部４は、長尺レンズ４の下面との当接部が長尺レンズ５の下面５ｕにおける周縁よりも内部になるように配置されている。すなわち、支点用凸部４は、当接部である頂部が長尺レンズ５の下面５ｕの外周である底面エッジを避けた位置に設置されている。このため、長尺レンズ５の下面５ｕの底面エッジが支点用凸部４に当接することがないので、支点用凸部４が削られる虞はなく、その切削粉によって長尺レンズ５の光学特性を損なう虞はない。
【００３０】
図５は、上記実施形態の変形例を示したものである。この変形例では、長尺レンズ５のレンズ部５ｂが長尺レンズ５の端部５ａよりもレンズの厚み方向へ突出している長尺レンズ５を収容するのに適したもので、レンズトレイ１を構成する各収納部ＵＮおいて、２つの支点用凸部４を結ぶ線上からオフセット（「離れた」の意味）させた位置に補助凸部６が形成されている。
【００３１】
したがって、この変形例では、長尺レンズ５が２つの支点用凸部４と１つの補助凸部６とによって３点支持されるので、長尺レンズ５の厚み方向へ倒れることなく安定した姿勢でレンズトレイ１に収容される。
【００３２】
図６は、本発明に係るレンズトレイの他の実施形態の要部を示している。この実施形態のレンズトレイ１では、各収納部ＵＮに設けた支点用凸部４が、長尺レンズ５の厚み方向に延びる蒲鉾状に形成され、かつ、長尺レンズ５の厚み方向に対応する支点用凸部４の端部が、湾曲面４ａによって形成されている。したがって、この実施形態では、長尺レンズ５が支点用凸部４に線接触に近い帯状の接触状態で支持され、厚み方向へ倒れることなく安定した姿勢でレンズトレイ１に支持される。
【００３３】
図７は、本発明に係るレンズトレイのさらに他の実施形態の要部を示している。この実施形態のレンズトレイ１では、各収納部ＵＮに設けた支点用凸部４が台状に形成され、かつ、上面４ｂと端面４ｃ，４ｄとの会合部が湾曲面４ｅによって形成されている。そして、長尺レンズ５は、支点用凸部４の平坦な上面４ｂによって支持される。したがって、長尺レンズ５は、厚み方向へ倒れることなく安定した姿勢で各収納部ＵＮすなわちレンズトレイ１中に支持される。
【００３４】
図８は、本発明に係るレンズトレイ１に収容される長尺レンズ５の具体例を示した斜視図である。
【００３５】
図８（ａ）に示す長尺レンズ５は、シリンドリカルレンズである。この長尺レンズ５は、レンズ部５ｂの上下に長手方向に延びるフランジ５ｃを備えており、このフランジ５ｃは、レンズ部５ｄよりも厚み方向に突出している。そして、この長尺レンズ５は、その両端部５ａが図１等に示すレンズトレイ１を構成する各収納部ＵＮに設けた保持溝３に挿嵌される。
【００３６】
また、図８（ｂ）に示す長尺レンズ５は、走査光学系レンズすなわちｆθレンズである。この長尺レンズ５は、レンズ部５ｂの両端や上下にフランジ５ｄを備えている。そして、この長尺レンズ５は、フランジ５ｄのうち長尺レンズ５の両端に対応する部分がレンズトレイ１を構成する各収納部ＵＮに設けた保持溝３に挿嵌される。
【００３７】
なお、この発明は、上記の実施形態に限られるものではなく、その要旨を逸脱しない範囲において種々の態様において実施することが可能であり、例えば次のような変形も可能である。例えば、収納部ＵＮに設けた保持溝３の形状や深さは、レンズトレイ１に収納すべき長尺レンズ５に応じて適宜変形することができる。具体的には、１つの保持溝３によって長尺レンズ５全体を収納する構成も可能である。
【図面の簡単な説明】
【００３８】
【図１】本発明に係るレンズトレイの一実施形態を概念的に示した斜視図である。
【図２】レンズトレイの要部を拡大して示した斜視図である。
【図３】レンズトレイにレンズを収容した状態を示した断面図である。
【図４】レンズトレイにレンズを収容した状態を示した平面図である。
【図５】図１の実施形態の変形例を示した平面図である。
【図６】本発明に係るレンズトレイの他の実施形態の要部を示しており、（ａ）は平面図、（ｂ）は、支点用凸部の拡大斜視図である。
【図７】本発明に係るレンズトレイのさらに他の実施形態の要部を示しており、（ａ）は、平面図、（ｂ）は、支点用凸部の拡大斜視図である。
【図８】（ａ），（ｂ）は、本発明に係るレンズトレイに収容される走査光学系の長尺レンズを具体的に例示した斜視図である。
【符号の説明】
【００３９】
１…レンズトレイ、  ２…凹部、  ３…保持溝、  ４…支点用凸部、  ５…長尺レンズ、  ６…支持用凸部
【図１】
2008260579.tif 000003
【図２】
2008260579.tif 000004
【図３】
2008260579.tif 000005
【図４】
2008260579.tif 000006
【図５】
2008260579.tif 000007
【図６】
2008260579.tif 000008
【図７】
2008260579.tif 000009
【図８】
2008260579.tif 000010